(57)【特許請求の範囲】
【請求項１】
薬剤含有体を発熱体２０で加熱して薬剤を蒸散させる薬剤加熱蒸散装置において、
略筒状の固定ボディー２と、該固定ボディー２の略内周に配置されかつ該固定ボディー２に対して水平方向に回転自在に嵌合する略筒状の回転ボディー１とからなり、該回転ボディー１の側面外周には前記発熱体２０に接続するコード１５を巻き付けるための溝１３を上下方向にわたって螺旋状に形成してこの溝１３に沿って巻き付けるようにコード１５を収納可能にすると共に、前記固定ボディー２の側面外周にスリット状のコード出入部２６を形成したことを特徴とする薬剤加熱蒸散装置。
【請求項２】
前記固定ボディー２におけるコード出入部２６に固定コードガイド体２７を設けたことを特徴とする請求項１記載の薬剤加熱蒸散装置。
【請求項３】
前記コード出入部２６に前記コード１５が貫通すると共に前記溝１３に沿って摺動しかつ上下に摺動する摺動コードガイド体３０を設けたことを特徴とする請求項１又は請求項２記載の薬剤加熱蒸散装置。
【発明の詳細な説明】
【０００１】
【発明の属する技術分野】
本発明は、殺虫、殺菌、殺ダニ、防虫、忌避、芳香、消臭等を目的として、薬剤含有体を発熱体により加熱して、薬剤を蒸散させる薬剤加熱蒸散装置において、コードを内部に収納可能とした薬剤加熱蒸散装置に関する。
【０００２】
【従来の技術】
従来、薬剤加熱蒸散装置としては、その発熱体に通電するためのコードが装着されるようになっており、このコードを収納可能としたものがあった。
【０００３】
このコードを収納可能としたものにおいては、実開平３−９５７７８号や実開平３−９９９７２号に記載されているように、装置本体の側面に巻取方向が垂直方向に向かうようにコードを収納するもの、あるいは、実開平３−７４２８３号に記載されているように、装置本体の下部に巻取方向が水平方向に向かうようにコードを収納するもの等が知られていた。
【０００４】
また、実開平２−６０５７８号には、巻取方向が水平方向に向かいかつ環状に巻き取られた中央空所内に電気加熱蒸散部が設置されるようになるものが知られていた。
【０００５】
【発明が解決しようとする課題】
従来の薬剤加熱蒸散装置において、実開平３−９５７７８号や実開平３−９９９７２号または実開平３−７４２８３号に記載されたコードを収納するものにあっては、装置本体の側面があるいは下部がそれぞれ突出した形状となり装置の大型化といった問題が生じる、あるいはデザイン上の制約を受けてデザイン性が劣るといった問題等が生じる恐れがあった。
また、実開平２−６０５７８号に記載されたコードを収納するものにあっては、装置本体の下部が水平方向に大きくなり、やはり装置の大型化やデザイン性が劣るといった問題が生じる恐れがあった。
【０００６】
さらに、前述した従来の薬剤加熱蒸散装置全般にわたっては、回転するコード側と固定状態となる発熱体側との間に接点部材が必要となり、部品点数の増加やこの部分での構造の複雑化といった問題も生じる恐れがあった。
本発明は、これらの問題を解消することを、その課題としている。
【０００７】
【課題を解決するための手段】
本発明は、前記問題を解消するため、薬剤含有体を発熱体で加熱して薬剤を蒸散させる薬剤加熱蒸散装置において、略筒状の固定ボディーと、該固定ボディーの略内周に配置されかつ該固定ボディーに対して水平方向に回転自在に嵌合する略筒状の回転ボディーとからなり、該回転ボディーの側面外周には前記発熱体に接続するコードを巻き付けるための溝を上下方向にわたって螺旋状に形成してこの溝に沿って巻き付けるようにコードを収納可能にすると共に、前記固定ボディーの側面外周にスリット状のコード出入部を形成する。
【０００８】
【作    用】
薬剤加熱蒸散装置において、前記回転ボディーに上下方向にわたって螺旋状に形成した溝にコードを収納するようにしたことで、コードを収納するスペースが特に水平方向に突出するのを極力抑えて当該薬剤加熱蒸散装置全体の大型化をなくしコンパクトな設計を可能とする。
また、コードは従来のようなコード側と発熱体側との間に接点部材を設けることなく発熱体に接続してするようになるので、接点部材等を不要とすることができ、しかも、故障の頻度も減らすことができる。
【０００９】
【発明の実施の形態】
本発明による薬剤加熱蒸散装置について薬剤含有体である吸液芯を上方に突出した薬液ボトルＢを内部に収納すると共に、該薬液ボトルＢの吸液芯を発熱体で加熱して薬剤を蒸散させる薬剤加熱蒸散器を例に第一実施例を説明する。
図１、図２、図３及び図４に示すように、薬剤加熱蒸散装置は、略筒状の固定ボディー２と、該固定ボディー２の略内周に配置され内部に薬液ボトルＢを収納する回転ボディー１とからなり、該回転ボディー１と固定ボディー２とは互いに水平方向に回転自在に嵌合するようになっている。
【００１０】
そして、前記回転ボディー１は内筒体３と蓋体４とからなり、前記内筒体３は円筒状の大径筒部１０とその上部に中板１１を介して設けた円筒状の小径筒部１２とから下方側が大きく開口すると共に上方側も開口した形状となり、該大径筒部１０の側面外周には上下方向にわたって螺旋状に溝１３を形成する。そして、該溝１３に沿って先端にプラグ１４を有した通電用のコード１５を巻き付けるようになっている。また、前記中板１１の上部には発熱体用脚部１６を形成し、該発熱体用脚部１６の上部に支持板１７と発熱部１８と放熱筒１９とからなる発熱体２０を装着する。さらに該中板１１の上部には前記蓋体４にネジ等により固着するための柱状の取付柱２１を形成する。そして、このようになる内筒体３の小径筒部１２内周に薬液ボトルＢを装着するためのネジ部を形成し、該ネジ部に薬液ボトルＢにおけるネジ部が係合するようになる。
【００１１】
また、前記蓋体４は円筒状の側面部２２と円板状の上面部２３とから下方を開口した形状で、該上面部２３の中央に蒸散口２４を形成しており、前記内筒体３の取付柱２１にネジ等により固着することで該内筒体３の上部に発熱体２０を覆うように装着する。
【００１２】
一方、前記固定ボディー２は外筒体５とスカート体６とからなり、該外筒体５は一部を突出した略円筒状でその内径を前記内筒体３の大径筒部１０外径より大きな径とし、その上端を前記回転ボディー１における蓋体４の側面部２２下端に当接するようになり、前記回転ボディー１における内筒体３を覆うように内筒体３の側面外周に配置するようになり、該外筒体５は前記内筒体３と蓋体４とからなる回転ボディー１に対して回転自在に嵌合するようになる。
【００１３】
また、前記スカート体６は上下が短い一部を突出した略円筒状となり、その上端を前記外筒体５の下端に嵌合固着すると共に、下部に通気用兼内部に収納した薬液ボトルＢの残量確認用の切り込み部２５を形成し、該切り込み部２５は例えば円周方向に４カ所形成する。
【００１４】
そして、前記外筒体５とスカート体６とにおいては、その側面外周の一部に上下にわたって縦長に開口するスリット状のコード出入部２６を形成しており、該コード出入部２６に前記スカート体６より上方に向かうＵ字型の固定コードガイド体２７を設けると共に、前記外筒体５とスカート体６との端部より若干内側にずれた位置に相対する突設片２８を形成し、前記固定コードガイド体２７と突設片２８とで上下に向かう溝状のレール２９を形成する。そして、該レール２９に沿って上下に摺動する摺動コードガイド体３０を設け、該摺動コードガイド体３０はブロック状で中央にコード１５が貫通するための開口部３１を形成すると共に、その側面に前記内筒体３に形成した溝１３に挿入係合し該溝１３に沿って摺動する摺動片３２を一体的に形成するようになり、該摺動コードガイド体３０にコード１５が貫通して固定ボディー２の外筒体５とスカート体６とに対して回転ボディー１の内筒体３と蓋体４とを回転すると、該摺動コードガイド体３０の摺動片３２が溝１３に沿って摺動し該摺動コードガイド体３０自体は前記レール２９に沿って上下に摺動するようになる。これにより、コード１５の上下左右方向へのにげやかみこみ等を防止して、前記回転ボディー１における内筒体３の溝１３にコード１５をねじれることなくしかも正確に巻き付けることができるようになる。
【００１５】
そして、このようになる薬剤加熱蒸散装置にあっては、一端側にプラグ１４を有しかつ他端側を前記発熱体２０に接続するようになるコード１５が前記回転ボディー１における内筒体３に形成した溝１３に沿って巻き付き、一端側を前記固定ボディー２に形成したコード出入部２６の摺動コードガイド体３０を貫通して当該薬剤加熱蒸散装置の外部側に出るようになっており、これにより前記外筒体５とスカート体６とである固定ボディー２を固定して前記コード１５を引っ張ると、前記内筒体３と蓋体４とである回転ボディー１が前記固定ボディー２に対して回転し、内筒体３に巻き付いていたコード１５が前記コード出入部２６より引き出されるようになる。また、引き出されたコード１５は前記固定ボディー２を固定して前記回転ボディー１の蓋体４を回転すると回転ボディー１の内筒体３に当該内筒体３に形成した溝１３に沿って巻き込まれて当該薬剤加熱蒸散装置内部に収納されるようになる。
【００１６】
なお、このコード１５においては、コードの種類、形状、長さ等は特に限定されるものではないが、コード１５の長さは５００ｍｍから１５００ｍｍ程度が好ましく、８００ｍｍから１２００ｍｍ程度がもっとも好適に用いられる。
【００１７】
このようになる薬剤加熱蒸散装置においては、次のような利点を奏する。
使用時に適当な長さだけコード１５を引き出して使用することができ、使用時のコード１５が邪魔になるといったことをなくして、コード１５に引っ掛かる危険性を少なくすることができる。ちなみにコード１５を引っ掛けて当該薬剤加熱蒸散装置を転倒すると、所期の薬剤蒸散効果が得られないばかりか、内部に薬剤が付着し、この状態で長時間経過すると薬剤が液化流出して薬剤による汚染や乳幼児が過って舐める等の危険が生じると共に、当該薬剤加熱蒸散装置の内部の電気系統にも悪影響を及ぼすものである。
【００１８】
また、前記コード１５を当該薬剤加熱蒸散装置内に完全に収納することができるので使用後の後片付けが容易ですっきり収納することができる。
【００１９】
しかも、前記回転ボディー１における内筒体３に上下方向にわたって螺旋状に形成した溝１３に前記コード１５を収納するようにしたことで、コード１５を収納するスペースが特に水平方向に突出するのを極力抑えて当該薬剤加熱蒸散装置全体の大型化をなくしコンパクトな設計を可能とする。これにより、材料費や梱包費あるいは輸送費等の費用の低減をすることができると共に、デザイン上の制約を受けることもなく、デザイン性が大巾に向上する。
【００２０】
さらに、前記コード１５は回転ボディー１の内筒体３上部に装着した発熱体２０に接続しており、従来のようなコード１５側と発熱体２０側との間に接点部材を設ける必要もなく、部品点数の低減やこの部分での構造の単純化を行うことができる。
【００２１】
また、前記固定ボディー２のスカート体６の下端に切り込み部２５を形成したことで、ここより内部への空気の流入を行い薬剤の蒸散を良好にすると共に、内部に収納した薬液ボトルＢの薬剤残量を容易に確認することができる。
【００２２】
次に、本発明による薬剤加熱蒸散装置の第二実施例について説明する。
薬剤加熱蒸散装置としては、前述した第一実施例とほぼ同様となり、図５、図６に示すように、前記回転ボディー１を内筒体３と蓋体４とスカート体６とから構成すると共に、前記固定ボディー２を外筒体５から構成し、互いに水平方向に回転自在に嵌合するようにする。この回転ボディー１と固定ボディー２とにおいて、内筒体３と蓋体４、また外筒体５にあっては第一実施例と同様となるが、スカート体６にあっては上下が短い円筒状となり、その上端を内筒体３の下端に嵌合固着するようになっている。そして、前記コード１５を出し入れするためのスリット状のコード出入部２６は前記固定ボディー２の外筒体５における側面外周の一部に上下にわたって形成したもので、該コード出入部２６としては前述の第一実施例におけるコード出入部２６において、前記摺動コードガイド体３０と突設片２８とを除いて、上方に向かうＵ字型の固定コードガイド体２７のみを設けたものである。
【００２３】
このようになることで第一実施例と同様な利点を奏すると共に、コード１５の出し入れの際、前記回転ボディー１の蓋体４のみでなくスカート体６においても固定ボディー２に対して回転ボディー１を回転することができコード１５の出し入れ作業をさらに容易なものとすることができる。また、前記コード出入部２６の固定コードガイド体２７によりコード収納時のコード１５の逃げや噛み込み等を防止して、コード１５の収納を確実に行うことができるようになる。
【００２４】
次に、本発明による薬剤加熱蒸散装置の第三実施例について説明する。
図７、図８に示すように、薬剤加熱蒸散装置は、第一実施例あるいは第二実施例と同様、略筒状の固定ボディー２と、該固定ボディー２の略内周に配置され内部に薬液ボトルＢを収納する回転ボディー１とからなり、該回転ボディー１と固定ボディー２とは互いに水平方向に回転自在に嵌合するようになっている。
【００２５】
そして、前記回転ボディー１は内筒体３とスカート体６とからなり、前記内筒体３は円筒状の大径筒部１０とその上部に中板１１を介して設けた円筒状の小径筒部１２とから下方側が大きく開口すると共に上方側も開口した形状となり、該大径筒部１０の側面外周には上下方向にわたって螺旋状に溝１３を形成し、該溝１３に沿ってコード１５を巻き付けるようになっている。また、前記中板１１の上部には発熱体用脚部１６を形成し、該発熱体用脚部１６の上部に支持板１７と発熱部１８と放熱筒１９とからなる発熱体２０を装着する。そして、このようになる内筒体３の小径筒部１２内周に薬液ボトルＢを装着するためのネジ部を形成し、該ネジ部に薬液ボトルＢにおけるネジ部が係合するようになる。
【００２６】
また、前記スカート体６は第一実施例あるいは第二実施例とほぼ同様、上下が短い円筒状で下部に切り込み部２５を形成し、その上端を前記内筒体３の下端に嵌合固着する。
【００２７】
一方、前記固定ボディー２は一部を突出した略円筒状の側面部３３と円板状の上面部３４とから下方を開口した形状となり、該上面部３４の中央に蒸散口２４を形成する。そして、前記側面部３３の内径を前記内筒体３の大径筒部１０外径より若干大きな径とすると共に、該側面部３３の一部に上部を若干除いて縦長に開口するスリット状のコード出入部２６を形成している。該コード出入部２６は第二実施例と同様、上方に向かうＵ字型の固定コードガイド体２７のみを設けたものである。そして、当該固定ボディー２の側面部３３下端を前記スカート体６の上部に当接するようになることで、前記回転ボディー１における内筒体３を覆うように内筒体３の側面外周に前記側面部３３を配置するようになると共に、前記内筒体３の上部に装着した発熱体２０も覆うようになり、該固定ボディー２は前記内筒体３、スカート体６である回転ボディー１に対して回転自在に嵌合するようになる。
【００２８】
そして、このようになる薬剤加熱蒸散装置にあっては、一端側にプラグ１４を有しかつ他端側を前記発熱体２０に接続するようになるコード１５が前記回転ボディー１における内筒体３に形成した溝１３に沿って巻き付き、一端側を前記固定ボディー２に形成したコード出入部２６から当該薬剤加熱蒸散装置の外部側に出るようになっており、これにより前記固定ボディー２を固定して前記コード１５を引っ張ると、前記内筒体３、スカート体６である回転ボディー１が前記固定ボディー２に対して回転し、内筒体３に巻き付いていたコード１５が前記コード出入部２６より引き出されるようになる。また、引き出されたコード１５は前記固定ボディー２を固定して前記回転ボディー１のスカート体６を回転すると回転ボディー１の内筒体３に当該内筒体３に形成した溝１３に沿って巻き込まれて当該薬剤加熱蒸散装置内部に収納されるようになる。
【００２９】
このようになる薬剤加熱蒸散装置においては、第一実施例あるいは第二実施例同様、適当な長さだけコード１５を引き出せることで、コード１５に引っ掛かる危険性を低減すると共に、前記コード１５を当該薬剤加熱蒸散装置内に完全に収納可能となることで、使用後の後片付けが容易ですっきり収納することができる。しかも、コード１５を収納するスペースが突出するのを極力抑えて当該薬剤加熱蒸散装置全体の大型化をなくしコンパクトな設計を可能とすると共に、前記コード１５側と発熱体２０側との接続において接点部材を設ける必要もなく、部品点数の低減やこの部分での構造の単純化を行うことができる。また、前記スカート体６に形成した切り込み部２５により内部への空気の流入を行い薬剤の蒸散を良好にすると共に、内部に収納した薬液ボトルＢの薬剤残量を容易に確認することができる。
【００３０】
また、本発明による薬剤加熱蒸散装置にあっては、前述した各実施例に限定されるものではなく、以下に示すような形でも良い。
薬剤を収容する薬液ボトルＢの薬剤加熱蒸散装置への係合は、当該薬剤加熱蒸散装置への係合およびキャッピング用に兼用できるよう一部を切り欠いたネジ部として例示しているが、特にこれに限定されるものではなく、例えば、前記スカート体６の下部に薬液ボトルＢを保持するための皿状の受部材を装着するようにしても良い。
【００３１】
さらに、本発明に用いる薬剤には使用目的に応じて種々の蒸散性薬剤を使用できる。例えば殺虫を目的として使用する場合、従来より用いられている各種蒸散性殺虫剤を用いることができ、ピレスロイド系殺虫剤、カーバメート系殺虫剤、有機リン系殺虫剤等を挙げることができる。一般に安全性が高いことからピレスロイド系殺虫剤が好適に用いられ、例えば、アレスリン、ｄｌ・ｄ−Ｔ８０−アレスリン、ｄ・ｄ−Ｔ８０−アレスリン、ｄ・ｄ−Ｔ８０−プラレスリン、フタルスリン、ｄ−Ｔ８０−レスメトリン、ｄ−Ｔ８０−フラメトリン、ペルメトリン、フェノトリン、フェンバレレート、シペルメトリン、シフェノトリン、エンペントリン、テラレスリン、エトフェンプロックス等従来公知の各種ピレスロイド系殺虫剤を用いることができる。
【００３２】
また、その使用目的に応じて、殺菌剤、殺ダニ剤、防虫剤、防カビ剤、防錆剤、消臭剤、忌避剤、香料等、従来から用いられている蒸散性薬剤も使用でき、例えば殺菌、防カビ剤としては、ｏ−フェニルフェノール、イソプロピルメチルフェノール、２−クロロ−４−フェニルフェノール、チモール等、香料としては、天然および人工の各種香料を使用でき、例えば動物性、植物性の天然香料、あるいは炭化水素、アルコール、フェノール、アルデヒド、ケトン、ラクトン、オキシド、エステル類等の人工香料などが挙げられる。
これらの蒸散性薬剤は１種類を単独で使用できる他、２種以上を混合して使用することもできる。
【００３３】
また、前記発熱体２０の発熱手段としては抵抗ヒーター（セメント抵抗器、酸化金属皮膜抵抗器、炭素金属皮膜抵抗器、ニクロム線等）・半導体（ＰＴＣ）を用いたヒーターに通電する方法等に限定されず、電源コードを有して電気的に加熱するものであれば適用できる。また、その形状、用途ともに何ら限定されるものではない。
【００３４】
また、前記スカート体６にあっては全体を透明材料により形成するようにしても良い。
【００３５】
【発明の効果】
薬剤加熱蒸散装置において、前記回転ボディーに上下方向にわたって螺旋状に形成した溝に前記コードを収納するようにしたことで、コードを収納するスペースが特に水平方向に突出するのを極力抑えて当該薬剤加熱蒸散装置全体の大型化をなくしコンパクトな設計を可能とする。これにより、材料費や梱包費あるいは輸送費等の費用の低減をすることができると共に、デザイン上の制約を受けることもなく、デザイン性の優れた薬剤加熱蒸散装置を提供することができる。しかも、コードは従来のようなコード側と発熱体側との間に接点部材を設けることなく発熱体に接続してするようになるので、接点部材等を不要とし、部品点数の低減を図りかつ構造の単純化を行うことができる。
また、前記固定ボディーに前記コードを出し入れするためのコード出入部に固定コードガイド体を設けたことで、コードの収納をさらに容易に行うことができる。
さらに、前記コード出入部に摺動コードガイド体を設けたことで、前記回転ボディーに形成した溝にコードを確実かつ規則正しく収納することができると共に、コードの出し入れもスムーズに行うことができる。
【図面の簡単な説明】
【図１】本発明による第一実施例の一部断面側面図。
【図２】本発明による第一実施例の上面図。
【図３】図１におけるＡ−Ａ断面図。
【図４】本発明による第一実施例の分解斜視図。
【図５】本発明による第二実施例の一部断面側面図。
【図６】本発明による第二実施例の分解斜視図。
【図７】本発明による第三実施例の一部断面側面図。
【図８】本発明による第三実施例の分解斜視図。
【符号の説明】
１…回転ボディー、２…固定ボディー、３…内筒体、４…蓋体、５…外筒体、６…スカート体、１０…大径筒部、１１…中板、１２…小径筒部、１３…溝、１４…プラグ、１５…コード、１６…発熱体用脚部、１７…支持板、１８…発熱部、１９…放熱筒、２０…発熱体、２１…取付柱、２２…側面部、２３…上面部、２４…蒸散口、２５…切り込み部、２６…コード出入部、２７…固定コードガイド体、２８…突設片、２９…レール、３０…摺動コードガイド体、３１…開口部、３２…摺動片、３３…側面部、３４…上面部。
【図１】
0003915040.tif 000002
【図２】
0003915040.tif 000003
【図３】
0003915040.tif 000004
【図４】
0003915040.tif 000005
【図５】
0003915040.tif 000006
【図６】
0003915040.tif 000007
【図７】
0003915040.tif 000008
【図８】
0003915040.tif 000009